(57)【要約】      （修正有）【課題】取り外し可能な少なくとも１個のサブラックを有するラック組立体を提供する。【解決手段】ラック組立体は、２個のサイドラック１０と、２本のレール２０、２２と、少なくとも１個のサブラック３０とを有する。レール２０、２２はサイドラック１０の間に取り付けられ、前レール２０と前レール２０より低い後レール２２とからなる。各レール２０、２２は一側面に開口を有する。前レール２０の開口は、前レール２０の底部に設けている。後レール２２の開口は、後レール２２における前レール２０と対向する側に設けている。少なくとも１個のサブラック３０がレール２０、２２に沿って摺動可能である。各サブラック３０は、ラックフレーム３２と、連結ロッドと、少なくとも１個の支持部材１４とを有する。ラックフレーム３２は、少なくとも１本の前ロッドと少なくとも１本の後ロッドを有する。【選択図】図１
0003203999.tif 000002
【実用新案登録請求の範囲】
【請求項１】
間隔をあけて配置した２個のサイドラックと、
前記サイドラック間に取り付けられ、前記サイドラックに連結され、相互に平行であり、前記前レールと前記後レールとからなる２本のレールであって、前記後レールを、前記前レールと前記後レール間に高低差を設けるべく前記前レールより低い位置に取り付けられ、各レールはＵ字状断面を有し前記レールの一側面に開口を形成し、前記前レールの前記開口は前記前レールの底部に下方に向けて形成し、前記後レールの前記開口は前記後レールの前記前レールに対向する側に形成するようにした前記２本のレールと、
前記サイドラック間に配置され、前記レールに沿って摺動可能な少なくとも1個のサブラックであって、前記少なくとも1個のサブラックは、それぞれ、前記前レール及び前記後レールに対応して位置決めされる、少なくとも1本の前ロッドと少なくとも1本の後ロッドとを含む複数の縦方向ロッドからなるラックフレームを有し、前記少なくとも1本の後ロッドは、それぞれ、前記後ロッドの頂部に回転可能に取り付けられ、前記後レールに摺動可能に保持される後輪を有し、前記少なくとも１本の前ロッドは、それぞれ、前記前ロッドの頂部に伸縮可能にに取り付けられかつ頂部を有する伸延ロッドと、同伸延ロッドの前記頂部に回転可能に取り付けられる前輪とを有する有する前記少なくとも1個のサブラックと、
前記少なくとも1本の前ロッドのそれぞれの前記伸延ロッドに連結される連結ロッドと、
前記ラックフレームに取り付けられる少なくとも１個の支持部材と、を具備することを特徴とするラック組立体。
【請求項２】
前記各サイドラックは、複数の縦方向ロッドからなるラックフレームと、前記サイドラックの前記ラックフレームに強固に取り付けられる少なくとも1個の支持部材とを有することを特徴とする請求項1記載のラック組立体。
【請求項３】
前記少なくとも1個のサブラックは、それぞれ、前記サブラックの前記連結ロッドに取り付けられるけん引ロッドをさらに有することを特徴とする請求項1又は２記載のラック組立体。
【請求項４】
前記少なくとも1個のサブラックの各ロッドは、底部と、前記サブラックの前記ロッドの前記底部に取り付けられる回転輪を有することを特徴とする請求項１〜３のうちいずれか記載のラック組立体。
【請求項５】
少なくとも１本の前ロッドと少なくとも1本の後ロッドを含む複数の縦方向ロッドからなるラックフレームであって、前記少なくとも1本の後ロッドは、それぞれ、前記後ロッドの頂部に回転可能に取り付けられる後輪を有し、前記少なくとも１本の前ロッドはそれぞれ、前記前ロッドの頂部に伸縮可能に取り付けられるかつ頂部を有する伸延ロッドと、同伸延ロッドの前記頂部に回転可能に取り付けられる前輪とを有する前記ラックフレームと、
前記少なくとも1本の前ロッドのそれぞれの前記伸延ロッドに連結される連結ロッドと、
前記ラックフレームに取り付けられる少なくとも１個の支持部材と、を具備することを特徴とするラック組立体用のサブラック。
【請求項６】
前記サブラックの前記連結ロッドに取り付けられるけん引ロッドをさらに有することを特徴とする請求項５記載のラック組立体。
【請求項７】
各ロッドは、底部と、前記ロッドの前記底部に取り付けられる回転輪を有することを特徴とする請求項５又は６に記載のラック組立体。
【考案の詳細な説明】
【技術分野】
【０００１】
本考案はラック組立体に関し、特にラック組立体から取り外し可能な少なくとも１個の
サブラックを有するラック組立体に関する。
【背景技術】
【０００２】
小売店やスーパーマーケットにおいて、商品を陳列して顧客に展示するため、ラック組立体が使用される。従来のラック組立体は、実質的に複数のロッドからなるラックフレームと、ラックフレームに強固に取り付けられる複数の支持部材とを有する。支持部材上に商品を載置支持することによって、顧客は商品を購入することができる。
【考案の概要】
【考案が解決しようとする課題】
【０００３】
しかし、支持部材はラックフレームに強固に取り付けられているので、支持部材をラックフレームから取り外すことができず、又は、ラックフレームに対する支持部材の相対位置を調整することができない。従って、従来のラック組立体の用途は限定され、多用途に用いることができない。
【０００４】
本考案はこれらの問題を解決するためなされたものであり、本考案は、上記した問題を軽減又は除去することができるラック組立体に係るものである。
【０００５】
本考案の主な目的は、数量及び位置が調整可能なサブラックを有するラック組立体を提供することにある。
【課題を解決するための手段】
【０００６】
本考案に係るラック組立体は、２個のサイドラックと、２本のレールと、少なくとも1個のサブラックを有する。サイドラックは間隔をあけて配置される。レールは、サイドラックの間に取り付けられ、サイドラックに連結され、相互に平行に配置される、レールは、前レールと、前レールとの間で高低差が生じるように前レールより低い位置に取り付けられられる後レールとからなる。各レールはＵ字状断面を有し、レールの一側面に開口を形成している。前レールの開口は、前レールの底部に下方に向けて設けている。後レールの開口は、後レールにおける前レールと対向する側に設けている。少なくとも1個のサブラックは、サイドラック間に配置され、レールに沿って摺動可能である。少なくとも1個のサブラックは、それぞれ、ラックフレームと、連結ロッドと、少なくとも1個の支持部材とを有する。ラックフレームは、それぞれ前レール及び後レールに対応して位置決めされる、少なくとも1本の前ロッドと少なくとも1本の後ロッドを含む複数の縦方向ロッドからなる。少なくとも1本の後ロッドはそれぞれ、後ロッドの頂部に回転可能に取り付けられ、後レールに摺動可能に保持される後輪を有する。少なくとも1本の前ロッドは、それぞれ、前ロッドの頂部に伸縮可能に取り付けられかつ腸部を有する伸延ロッドと、伸延ロッドの頂部に回転可能に取り付けられる前輪とを有する。連結ロッドは、少なくとも1本の前ロッドのそれぞれの伸延ロッドに連結される。少なくとも1個の支持部材はラックフレームに設置される。
【０００７】
本考案の他の目的、効果及び新規な特徴は、添付の図面を参照して、以下の詳細な記述からより明らかになる。
【図面の簡単な説明】
【０００８】
【図１】本考案に係るラック組立体の斜視図である。
【図２】本考案に係るサブラック組立体の斜視図である。
【図３】図1のラック組立体の拡大斜視図である。
【図４】図1のラック組立体の拡大断面斜視図である。
【図５】図1のラック組立体の部分的断面の拡大正面図である。
【図６】図1のラック組立体の部分的断面の拡大操作正面図である。
【図７】図1のラック組立体の部分的断面の拡大操作側面図を示す。
【図８】図1のラック組立体の正面図である。
【図９】図1のラック組立体の操作を示す正面図である。
【考案を実施するための形態】
【０００９】
図1及び図８を参照して説明すると、本考案に係るラック組立体は、２個のサイドラック１０と、２本のレール２０、２２と、少なくとも1個のサブラック３０とを有する。サイドラック１０は間隔をあけて配置される。各サイドラック１０は、複数の縦方向ロッド１２２からなるラックフレーム１２と、ラックフレーム１２に強固に取り付けられる少なくとも1個の支持部材１４を有する。各支持部材１４は、支持部材１４上の物を支持する板又はブラケットでもよい。レール２０，２２は、サイドラック１０間に取り付けられ、かつ、サイドラック１０に連結される。レール２０，２２は相互に平行であり、前レール２０と後レール２２とからなる。前レール２０と後レール２２間に高低差を持たせるため、後レール２２は前レール２０より低い位置に取り付けられる。各レール２０，２２はＵ字状断面を有し、その側面に開口２０２、２２２を形成している。前レール２０の開口２０２は前レール２０の底部に下方に向けて形成されている。後レール２２の開口２２２は、後レール２２の前レール２０に対向する側に形成されている。
【００１０】
図２、図３及び図５を参照して説明すると、少なくとも1個のサブラック３０は、サイドラック１０間に配置され、レール２０、２２に沿って摺動可能である。図１に示す実施例では、２個のサブラック３０が設けられている。各サブラック３０は、ラックフレーム３２と、連結ロッド３７と、少なくとも1個の支持部材３１を有する。ラックフレーム３２は複数の縦方向ロッド３３、３４を有する。ロッド３３、３４は、前レール２０と後レール２２にそれぞれ対応した位置に設けた、少なくとも1本の前ロッド３３と、少なくとも一本の後ロッド３４とを有する。好ましくは、ロッド３３、３４は、２本の前ロッド３３と２本の後ロッド３４とを有する。各後ロッド３４は、後ロッド３４の頂部に回転可能に取り付けられ、後レール２２に摺動可能に保持される後輪３４２を有する。各前ロッド３３は、前ロッド３３の頂部に伸縮可能に取り付けられかつ頂部を有する伸延ロッド３３２と、伸延ロッド３３２の頂部に回転可能に取り付けられる前輪３３４とを有する。さらに、各前ロッド３３は、前ロッド３３内に取り付けられ、伸延ロッド３３２の底部に当接して伸延ロッド３３２を押し上げ、前レール２０内に前輪３３４を保持するバネ３３６を有する。さらに、各ロッド３３，３４は、底部と、その底部に取り付けられる回転輪３６とを有する。
【００１１】
連結ロッド３７は、前ロッド３３の伸延ロッド３３２に連結されている。さらに、各サブラック３０は、サブラック３０の連結ロッド３７に取り付けられるけん引ロッド３７２を有する。従って、けん引ロッド３７２をけん引することにより、連結ロッド３７を下方にけん引することができ、伸延ロッド３３２を前ロッド３３の中に後退させることができ、前輪３３４は、前レール２０の開口２０２を介して前レール２０から離脱する。
【００１２】
少なくとも一個の支持部材３１が、ラックフレーム３２に強固に取り付けられる。各支持部材３１は、支持部材３１上の物を支持する板又はブラケットでもよい。  
【００１３】
図１、図８及び図９を参照して説明すると、サブラック３０はレール２０、２２に沿って摺動可能であるため、レール２０、２２に沿ってサブラック３０を動かすことにより、サブラック３０の位置を調整でき、異なる使用要求を満たすことができる。従って、ラック組立体を多用途に用いることができる。
【００１４】
図１、図６及び図７を参照して説明すると、サブラック３０の１つの連結ロッド３７又はけん引ロッド３７２が下方にけん引されたとき、サブラック３０の伸延ロッド３３２は、前ロッド３３内に後退し、前輪３３４は、前レール２０の開口２０２を介して前レール２０から離脱する。後レール２２の開口２２２は前レール２０に対向して設けられ、かつ、後レール２２は前レール２０より低い位置にあるため、サブラック３０を押して、サイドラック１０に対して前方に動かすことによって、サイドラック１０間の所定位置からサブラック３０を離すこともできる。その結果、サブラック３０は、サイドラック１０とは別個に物を支持するために用いることができる。従って、サイドラック１０間のサブラック３０の数量と位置は、異なる使用要求に応じて変更することができ、ラック組立体を多用途に用いることができる。
【００１５】
以上、本考案の多くの特徴及び効果を、考案の構造と機能の詳細と共に記載してきたが、上記した記載は例示的なものであり、考案の詳細は変更可能であり、特に、添付した実用新案登録請求の範囲に記載する文言の広範な一般的意味によって理解できる限りの考案の思想の範囲内で、構成要素の形状、寸法及び配置を変更することができる。
【図１】
0003203999.tif 000003
【図２】
0003203999.tif 000004
【図３】
0003203999.tif 000005
【図４】
0003203999.tif 000006
【図５】
0003203999.tif 000007
【図６】
0003203999.tif 000008
【図７】
0003203999.tif 000009
【図８】
0003203999.tif 000010
【図９】
0003203999.tif 000011
【手続補正書】
【提出日】平成28年2月29日(2016.2.29)
【手続補正１】
【補正対象書類名】実用新案登録請求の範囲
【補正対象項目名】全文
【補正方法】変更
【補正の内容】
【実用新案登録請求の範囲】
【請求項１】
間隔をあけて配置した２個のサイドラックと、
前記サイドラック間に取り付けられ、前記サイドラックに連結され、相互に平行であり、前レールと後レールとからなる２本のレールであって、前記後レールを、前記前レールと前記後レール間に高低差を設けるべく前記前レールより低い位置に取り付けられ、各レールはＵ字状断面を有し前記レールの一側面に開口を形成し、前記前レールの前記開口は前記前レールの底部に下方に向けて形成し、前記後レールの前記開口は前記後レールの前記前レールに対向する側に形成するようにした前記２本のレールと、
前記サイドラック間に配置され、前記レールに沿って摺動可能な少なくとも１個のサブラックであって、前記少なくとも１個のサブラックは、それぞれ、前記前レール及び前記後レールに対応して位置決めされる、少なくとも１本の前ロッドと少なくとも１本の後ロッドとを含む複数の縦方向ロッドからなるラックフレームを有し、前記少なくとも１本の後ロッドは、それぞれ、前記後ロッドの頂部に回転可能に取り付けられ、前記後レールに摺動可能に保持される後輪を有し、前記少なくとも１本の前ロッドは、それぞれ、前記前ロッドの頂部に伸縮可能に取り付けられかつ頂部を有する伸延ロッドと、同伸延ロッドの前記頂部に回転可能に取り付けられる前輪とを有する前記少なくとも１個のサブラックと、
前記少なくとも１本の前ロッドのそれぞれの前記伸延ロッドに連結される連結ロッドと、
前記ラックフレームに取り付けられる少なくとも１個の支持部材と、を具備することを特徴とするラック組立体。
【請求項２】
前記各サイドラックは、複数の縦方向ロッドからなるラックフレームと、前記サイドラックの前記ラックフレームに強固に取り付けられる少なくとも１個の支持部材とを有することを特徴とする請求項１記載のラック組立体。
【請求項３】
前記少なくとも１個のサブラックは、それぞれ、前記サブラックの前記連結ロッドに取り付けられるけん引ロッドをさらに有することを特徴とする請求項１又は２記載のラック組立体。
【請求項４】
前記少なくとも１個のサブラックの各ロッドは、底部と、前記サブラックの前記ロッドの前記底部に取り付けられる回転輪を有することを特徴とする請求項１〜３のうちいずれか記載のラック組立体。
【請求項５】
少なくとも１本の前ロッドと少なくとも１本の後ロッドを含む複数の縦方向ロッドからなるラックフレームであって、前記少なくとも１本の後ロッドは、それぞれ、前記後ロッドの頂部に回転可能に取り付けられる後輪を有し、前記少なくとも１本の前ロッドはそれぞれ、前記前ロッドの頂部に伸縮可能に取り付けられるかつ頂部を有する伸延ロッドと、同伸延ロッドの前記頂部に回転可能に取り付けられる前輪とを有する前記ラックフレームと、
前記少なくとも１本の前ロッドのそれぞれの前記伸延ロッドに連結される連結ロッドと、
前記ラックフレームに取り付けられる少なくとも１個の支持部材と、を具備することを特徴とするラック組立体用のサブラック。
【請求項６】
前記サブラックの前記連結ロッドに取り付けられるけん引ロッドをさらに有することを特徴とする請求項５記載のラック組立体用のサブラック。
【請求項７】
各ロッドは、底部と、前記ロッドの前記底部に取り付けられる回転輪を有することを特徴とする請求項５又は６に記載のラック組立体用のサブラック。